(57)【特許請求の範囲】
【請求項１】
記憶媒体の記憶領域に記録された再生対象情報を再生する情報再生装置であって、
前記記憶媒体は、前記記憶領域に前記再生対象情報が複数の分割領域ごとの分割情報として分割された状態で記録されるとともに、前記再生対象情報に前記分割情報の情報量および記録位置を含む付加情報が付加されたものであり、
情報再生装置本体は、
前記再生対象情報のうちの前記記憶領域における所定情報量分の再生対象領域が有する情報の再生と前記再生対象情報のうちの前記記憶領域における所定情報量分のスキップ対象領域が有する情報のスキップとを交互に繰り返すことによって、前記再生対象情報の早送りまたは早戻し再生を行う早送り／早戻し再生手段と、
この早送り／早戻し再生手段による前記早送り／早戻し再生の際に、前記付加情報に基づいて、現在再生中の情報を有する現在の前記再生対象領域の次に再生されるべき情報を有する次の前記再生対象領域を検索する検索手段と、
この検索手段による検索の際に、前記付加情報に基づいて、前記次の再生対象領域が複数の分割領域に分割されているか否かを判定する判定手段と、
この判定手段によって肯定的な判定結果が得られた場合に、前記付加情報に基づいて、前記次の再生対象領域を構成する前記複数の分割領域の中から、前記付加情報に示される前記情報量が最大となる情報を有する前記分割領域を支配的な情報を有する分割領域と決定する決定手段と、
前記判定手段によって肯定的な判定結果が得られた場合に、前記決定手段によって決定された前記支配的な情報を有する分割領域に限定した検索ならびに当該情報の再生を行うように前記検索手段ならびに前記再生手段を制御する制御手段と
を備えたことを特徴とする情報再生装置。
【請求項２】
前記決定手段は、前記次の再生対象領域を構成する複数の分割領域の中に、前記情報量が最大となる情報を有する分割領域が複数存在する場合には、当該複数の情報量が最大となる情報を有する分割領域のうち、前記現在の再生対象領域からの前記記憶領域上における距離が最短の前記分割領域を、前記支配的な情報を有する分割領域と決定すること
を特徴とする請求項１に記載の情報再生装置。
【請求項３】
前記決定手段は、前記複数の情報量が最大となる情報を有する分割領域のうち、前記距離が最短の分割領域からの前記記憶領域上における距離が閾値以内の他の分割領域についても、前記距離が最短の分割領域とともに前記支配的な情報を有する分割領域と決定すること
を特徴とする請求項２に記載の情報再生装置。
【請求項４】
前記判定手段によって否定的な判定結果が得られた場合には、前記検索手段ならびに前記再生手段は、前記次の再生対象領域の全体を対象とした通常の検索ならびに早送り／早戻し再生を行うこと
を特徴とする請求項１乃至請求項３のいずれか１項に記載の情報再生装置。
【請求項５】
前記再生対象情報は、論理上における配置順序に物理上における配置順序が整合するように前記記憶領域の先頭側から順番に分割記録されたもの、または、順不同に分割記録されたものであること
を特徴とする請求項１乃至請求項４のいずれか１項に記載の情報再生装置。
【請求項６】
前記記憶媒体は、光ディスクであり、
前記再生対象情報は、ＵＤＦ形式で記録されたオーディオファイルまたはビデオファイルであること
を特徴とする請求項１乃至請求項５のいずれか１項に記載の情報再生装置。
【請求項７】
記憶媒体の記憶領域に記録された再生対象情報を早送りまたは早戻し再生するための早送り／早戻し再生方法であって、
前記記憶媒体は、前記記憶領域に前記再生対象情報が複数の分割領域ごとの分割情報として分割された状態で記録されるとともに、前記再生対象情報に前記分割情報の情報量および記録位置を含む付加情報が付加されたものであり、
前記再生対象情報のうちの前記記憶領域における所定情報量分の再生対象領域が有する情報の再生と前記再生対象情報のうちの前記記憶領域における所定情報量分のスキップ対象領域が有する情報のスキップとを交互に繰り返すことによって、前記再生対象情報の早送りまたは早戻し再生を行う第１のステップと、
この第１のステップにおける前記早送り／早戻し再生の際に、前記付加情報に基づいて、現在再生中の情報を有する現在の前記再生対象領域の次に再生されるべき情報を有する次の前記再生対象領域を検索する第２のステップと、
この第２のステップにおける検索の際に、前記付加情報に基づいて、前記次の再生対象領域が複数の分割領域に分割されているか否かを判定する第３のステップと、
この第３のステップにおいて肯定的な判定結果が得られた場合に、前記付加情報に基づいて、前記次の再生対象領域を構成する前記複数の分割領域の中から、前記付加情報に示される前記情報量が最大となる情報を有する前記分割領域を支配的な情報を有する分割領域と決定する第４のステップと
を含み、
前記第２のステップは、前記第３のステップにおいて肯定的な判定結果が得られた場合に、前記第４のステップにおいて決定された前記支配的な情報を有する分割領域に限定した検索を行うステップであり、
前記第１のステップは、当該限定した検索によって検出された分割領域が有する前記支配的な情報に限定した再生を行うステップであること
を特徴とする早送り／早戻し再生方法。
【請求項８】
前記第４のステップは、前記次の再生対象領域を構成する複数の分割領域の中に、前記情報量が最大となる情報を有する分割領域が複数存在する場合には、当該複数の情報量が最大となる情報を有する分割領域のうち、前記現在の再生対象領域からの前記記憶領域上における距離が最短の前記分割領域を、前記支配的な情報を有する分割領域と決定するステップであること
を特徴とする請求項７に記載の早送り／早戻し再生方法。
【請求項９】
前記第４のステップは、前記複数の情報量が最大となる情報を有する分割領域のうち、前記距離が最短の分割領域からの前記記憶領域上における距離が閾値以内の他の分割領域についても、前記距離が最短の分割領域とともに前記支配的な情報を有する分割領域と決定するステップであること
を特徴とする請求項８に記載の早送り／早戻し再生方法。
【請求項１０】
前記第２のステップは、前記第３のステップにおいて否定的な判定結果が得られた場合に、前記次の再生対象領域の全体を対象とした通常の検索を行うステップであり、
前記第１のステップは、前記第３のステップにおいて否定的な判定結果が得られた場合に、前記通常の検索によって検出された前記次の再生対象領域の全体が有する情報を対象とした通常の早送り／早戻し再生を行うステップであること
を特徴とする請求項７乃至請求項９のいずれか１項に記載の早送り／早戻し再生方法。
【発明の詳細な説明】
【技術分野】
【０００１】
本発明は、情報再生装置および早送り／早戻し再生方法に係り、特に、記憶媒体に記録された再生対象情報の早送りまたは早戻し再生に好適な情報再生装置および早送り／早戻し再生方法に関する。
【背景技術】
【０００２】
従来は、ＣＤ−ＲやＣＤ−ＲＷ等の光ディスクへのデータの記録（書き込み）は、ISO9660 File Systemのフォーマットで行われるのが一般的であった。
【０００３】
このISO9660 File Systemにおいては、光ディスク上に１つのファイル（例えば、オーディオファイル、ビデオファイル）が連続したデータとして記録されるため、記録されたファイルを再生装置によって通常再生する場合に、再生装置が通常再生中に次の再生箇所を探すサーチ（検索）動作を行う必要はない。
【０００４】
一方、最近では、Windows（登録商標） Vistaをはじめとして、UDF(Universal Disk Format) File Systemによるフォーマットでの記録が標準で行われるようになってきている（例えば、特許文献１参照）。このUDF File Systemにおいては、図５に示すように、光ディスクＤ上に、１つのファイルＦが、幾つかの分割データｄｉ（ｉは、データ分割数を最大値とした自然数、以下同様）に分割された状態で記録される場合があった。より具体的には、図５（ｂ）に示すように、各分割データｄｉは、光ディスクＤ上のボリューム（記憶領域）における物理的に分離された複数の分割領域Ａｉごとに分割された状態で記録されている。ただし、図５（ｃ）に示すように、各分割データｄｉは、論理的には連続した１つのファイルＦとして再生装置側で認識されるようになっている。このような分割された状態で記録されたファイルＦの先頭には、図５（ｂ）、（ｃ）において符号ＦＥで示すように、ファイルＦの分割状態が記述されたＦＥ(File Entry)情報が付加されるようになっている。このＦＥ情報には、ファイルＦの分割数や、各分割データｄｉ（換言すれば、エクステント）のアドレス、レングス（データ長）等が含まれている。
【０００５】
ここで、このようなUDF File Systemにおける分割記録が行われる場合の一例について説明する。
【０００６】
すなわち、Windows Vistaが搭載されたＰＣにおいて、オーディオＣＤやビデオＣＤを作成する場合には、まず、ドライブにブランクディスクを挿入すると、光ディスク（ＣＤ）へのファイルの書き込みを選択可能なメニュー画面が開かれる。次に、この画面において光ディスクへのファイルの書き込みをユーザが選択すると、デフォルトでUDF File Systemによるディスクフォーマットが開始される。そして、フォーマット終了後は、ディスクドライブのフォルダが表示され、このフォルダ上にＰＣのハードディスク等で管理されているファイル（オーディオファイル、ビデオファイル）をドラッグ＆ドロップすることが可能となる。次に、このようにして表示されたデイスクドライブのフォルダ上に、所望のファイルをドラッグ＆ドロップすると、書き込みタスクが起動し、実際の光ディスク上へのファイルの書き込みが開始される。このとき、１つのファイルを書き込んでいる最中に、更に他のファイルをデイスクドライブのフォルダ上にドラッグ＆ドロップすると、このファイルに対応する書き込みタスクが更に起動される。そして、このようにして、複数のファイルにそれぞれ対応する複数の書き込みタスク（マルチタスク）が同時期に起動された場合には、図６に示すように、各ファイルは、それぞれ各タスクＡ、Ｂごとの複数の分割データｄＡｉ、ｄＢｉに分割された状態で書き込まれるようになっていた。
【０００７】
なお、これ以外にも、分割記録が行われるケースとしては、例えば、ＲＷメディア等において、消去や追加が頻繁に行われた場合が挙げられる。
【０００８】
そして、このようなUDF File Systemによる分割記録が行われたファイルを再生装置によって通常再生する場合には、再生装置側にファイルを一度にキャッシュできる膨大なメモリがあるといった例外を除いては、ＦＥ情報に基づいて、通常再生中にサーチ動作を行わなければならなかった。なお、設置スペースに一定の制約が課された車載用の再生装置等においては、そのような膨大なメモリを備えることは実情に見合わない。
【０００９】
ここで、図７は、UDF File Systemによる分割記録が行われたファイルを通常再生する場合におけるサーチ動作を模式的に示したものである。具体的には、図７（ａ）は、１つのファイルＦが、論理上におけるデータの配置順序に物理上（記憶領域上）におけるデータの配置順序が整合するようにボリュームの先頭側から末尾側に向かう順番にしたがって分割記録（シーケンシャルライト）された光ディスクを通常再生する場合におけるサーチ順序を、ボリューム上において物理的に示したものである。一方、図７（ｂ）は、１つのファイルＦがボリューム上にランダムに分割記録（ランダムライト）されたディスクを通常再生する場合におけるサーチ順序を、ボリューム上において物理的に示したものである。
【００１０】
図７（ａ）、（ｂ）のいずれの場合においても、サーチ動作は、ＦＥ情報に基づいて、現在再生中の分割データから物理的に分離されている次に再生すべき分割データの所在（例えば、先頭アドレス等）を把握して行われるようになっている。
【先行技術文献】
【特許文献】
【００１１】
【特許文献１】ＷＯ２００２／０２３８９８
【発明の概要】
【発明が解決しようとする課題】
【００１２】
ところで、従来から、一般的な再生装置においては、光ディスクに記録されたファイルを、通常再生以外にも、早送り（ＦＷＤ）再生および早戻し（ＢＷＤ）再生することが可能であった。
【００１３】
ここで、早送り再生および早戻し再生は、若干の再生とジャンプとを繰り返すことによって実現されている。例えば、図８は、ISO9660 File Systemによって記録されたファイルＦの早送り再生の概要を示したものである。この早送り再生では、図８に示すように、ファイルＦのうち、ボリューム（記憶領域）における予め設定された所定データ長（再生時間）分の再生対象領域Ｐが有するデータを再生し、次いで、該データの直後の予め設定された所定データ長分のスキップ対象領域Ｓが有するデータをスキップ（再生とばし）して次の再生対象領域Ｐにジャンプするといった動作を交互に繰り返すようになっている。そして、この過程で、再生装置は、通常再生の場合とは異なり、次の再生対象領域Ｐ（再生箇所）をサーチする必要があった。
【００１４】
そして、このような早送り／早戻し再生は、UDF File Systemによって分割記録されたファイルについても可能であったが、このファイルは、前述のように、通常再生の場合においてもサーチ動作を要するため、早送り／早戻し再生を行う場合におけるサーチ動作の頻度は、ISO9660 File Systemの場合よりも顕著なものであった。
【００１５】
例えば、図９（ａ）は、UDF File Systemによってディスクのボリューム上に分割記録（シーケンシャルライト）された複数の分割データｄｉを示したものである。この図９（ａ）に示すように、或る１つの再生対象領域Ｐｎが、物理的に複数の分割領域Ａｋ（同図においては、領域の一部）、Ａｋ＋１（同図においては、領域の全部）、Ａｋ＋２（同図においては、領域の一部）（但し、ｋ∈ｉ）に跨がって分割（分離）配置されている場合には、当該再生対象領域Ｐｎの次の再生対象領域Ｐをサーチする以前に、当該再生対象領域Ｐｎ内のデータＤａ（Ｄｋ、Ｄｋ＋１、Ｄｋ＋２）の再生自体に、次の分割領域Ａｋ＋１、Ａｋ＋２のサーチ動作を要することになる。
【００１６】
しかし、そうであるからと言って、同一の再生対象領域Ｐｎ内におけるサーチ動作を行う場合には、次のような問題が生じていた。
【００１７】
すなわち、サーチ期間中は、当然のことながらデータの読み取りができないため、再生装置のバッファに貯められたデータをデコードして再生することになるのであるが、サーチ回数が増加すれば、バッファアンダーラン（バッファに貯められたデータの欠乏）を起こして音切れ・映像途切れ（再生対象領域Ｐ内のデータについての音切れ・映像途切れ）に繋がり易く、非常にぎこちない早送り／早戻し再生となってしまっていた。
【００１８】
また、ファイルが分割記録されているか否かについては、基本的にユーザは認識できないため、音切れや映像途切れが何故発生しているのか分からずに、再生装置の再生品位が悪いとみなしてクレームに繋がる可能性もあった。
【００１９】
さらに、サーチ動作が頻発すれば、スレッド（光ピックアップユニット）の動作が頻繁に行われるため、製品寿命を縮め、消費電力も余分にかかってしまっていた。
【００２０】
そこで、本発明は、このような問題点に鑑みなされたものであり、分割記録された再生対象情報の早送り／早戻し再生の再生品位を向上させることができるとともに、消費電力の削減および製品寿命の向上を図ることができる情報再生装置および早送り／早戻し再生方法を提供することを目的とするものである。
【課題を解決するための手段】
【００２１】
前述した目的を達成するため、本発明に係る情報再生装置は、記憶媒体の記憶領域に記録された再生対象情報を再生する情報再生装置であって、前記記憶媒体は、前記記憶領域に前記再生対象情報が複数の分割領域ごとの分割情報として分割された状態で記録されるとともに、前記再生対象情報に前記分割情報の情報量および記録位置を含む付加情報が付加されたものであり、情報再生装置本体は、前記再生対象情報のうちの前記記憶領域における所定情報量分の再生対象領域が有する情報の再生と前記再生対象情報のうちの前記記憶領域における所定情報量分のスキップ対象領域が有する情報のスキップとを交互に繰り返すことによって、前記再生対象情報の早送りまたは早戻し再生を行う早送り／早戻し再生手段と、この早送り／早戻し再生手段による前記早送り／早戻し再生の際に、前記付加情報に基づいて、現在再生中の情報を有する現在の前記再生対象領域の次に再生されるべき情報を有する次の前記再生対象領域を検索する検索手段と、この検索手段による検索の際に、前記付加情報に基づいて、前記次の再生対象領域が複数の分割領域に分割されているか否かを判定する判定手段と、この判定手段によって肯定的な判定結果が得られた場合に、前記付加情報に基づいて、前記次の再生対象領域を構成する前記複数の分割領域の中から、前記付加情報に示される前記情報量が最大となる情報を有する前記分割領域を支配的な情報を有する分割領域と決定する決定手段と、前記判定手段によって肯定的な判定結果が得られた場合に、前記決定手段によって決定された前記支配的な情報を有する分割領域に限定した検索ならびに当該情報の再生を行うように前記検索手段ならびに前記再生手段を制御する制御手段とを備えたことを特徴としている。
【００２２】
また、本発明に係る早送り／早戻し再生方法は、  記憶媒体の記憶領域に記録された再生対象情報を早送りまたは早戻し再生するための早送り／早戻し再生方法であって、前記記憶媒体は、前記記憶領域に前記再生対象情報が複数の分割領域ごとの分割情報として分割された状態で記録されるとともに、前記再生対象情報に前記分割情報の情報量および記録位置を含む付加情報が付加されたものであり、前記再生対象情報のうちの前記記憶領域における所定情報量分の再生対象領域が有する情報の再生と前記再生対象情報のうちの前記記憶領域における所定情報量分のスキップ対象領域が有する情報のスキップとを交互に繰り返すことによって、前記再生対象情報の早送りまたは早戻し再生を行う第１のステップと、この第１のステップにおける前記早送り／早戻し再生の際に、前記付加情報に基づいて、現在再生中の情報を有する現在の前記再生対象領域の次に再生されるべき情報を有する次の前記再生対象領域を検索する第２のステップと、この第２のステップにおける検索の際に、前記付加情報に基づいて、前記次の再生対象領域が複数の分割領域に分割されているか否かを判定する第３のステップと、この第３のステップにおいて肯定的な判定結果が得られた場合に、前記付加情報に基づいて、前記次の再生対象領域を構成する前記複数の分割領域の中から、前記付加情報に示される前記情報量が最大となる情報を有する前記分割領域を支配的な情報を有する分割領域と決定する第４のステップとを含み、前記第２のステップは、前記第３のステップにおいて肯定的な判定結果が得られた場合に、前記第４のステップにおいて決定された前記支配的な情報を有する分割領域に限定した検索を行うステップであり、前記第１のステップは、当該限定した検索によって検出された分割領域が有する前記支配的な情報に限定した再生を行うステップであることを特徴している。
【００２３】
そして、このような本発明によれば、早送り／早戻し再生の際に、次の再生対象領域が複数の分割領域に分割されている場合には、そのような次の再生対象領域を構成する複数の分割領域のうちの支配的な情報を有する分割領域に限定した検索ならびに当該情報の再生を行うことができるため、分割記録された再生対象情報を早送り／早戻し再生する際における検索の頻度を確実に低減することができる。これにより、分割記録された再生対象情報の早送り／早戻し再生の再生品位を向上させることができるとともに、消費電力の削減および製品寿命の向上を図ることができる。更に、次の再生対象領域を構成する複数の分割領域のうち、再生時間が最も長い情報を有する分割領域を支配的な情報を有する分割領域として検索対象に決定することができるので、早送り／早戻し再生の再生品位をさらに向上させることができる。
【００２６】
さらにまた、本発明の情報再生装置において、前記決定手段は、前記次の再生対象領域を構成する複数の分割領域の中に、前記情報量が最大となる情報を有する分割領域が複数存在する場合には、当該複数の情報量が最大となる情報を有する分割領域のうち、前記現在の再生対象領域からの前記記憶領域上における距離が最短の前記分割領域を、前記支配的な情報を有する分割領域と決定してもよい。同様に、本発明の早送り／早戻し再生方法において、前記第４のステップは、前記次の再生対象領域を構成する複数の分割領域の中に、前記情報量が最大となる情報を有する分割領域が複数存在する場合には、当該複数の情報量が最大となる情報を有する分割領域のうち、前記現在の再生対象領域からの前記記憶領域上における距離が最短の前記分割領域を、前記支配的な情報を有する分割領域と決定するステップであってもよい。
【００２７】
そして、このような本発明によれば、次の再生対象領域を構成する複数の分割領域のうち、複数の分割領域が有する情報の再生時間が最長となる場合には、これら再生時間が最長となる情報を有する複数の分割領域のうちの現在の再生対象領域からの検索所要時間が最短となる分割領域を検索対象に決定することができるので、さらに高品位な早送り／早戻し再生を実現することができる。
【００２８】
また、本発明の情報再生装置において、前記決定手段は、前記複数の情報量が最大となる情報を有する分割領域のうち、前記距離が最短の分割領域からの前記記憶領域上における距離が閾値以内の他の分割領域についても、前記距離が最短の分割領域とともに前記支配的な情報を有する分割領域と決定してもよい。同様に、本発明の早送り／早戻し再生方法において、前記第４のステップは、前記複数の情報量が最大となる情報を有する分割領域のうち、前記距離が最短の分割領域からの前記記憶領域上における距離が閾値以内の他の分割領域についても、前記距離が最短の分割領域とともに前記支配的な情報を有する分割領域と決定するステップであってもよい。
【００２９】
そして、このような本発明によれば、次の再生対象領域を構成する複数の分割領域のうち、複数の分割領域が有する情報の再生時間が最長となる場合に、現在の再生対象領域からの検索所要時間が最短となる情報に加えて、当該最短となる情報からの検索所要時間が十分に短い分割領域についても検索対象に含めることができるので、より良好な早送り／早戻し再生の再生品位を実現することができる。
【００３０】
さらに、本発明の情報再生装置において、前記判定手段によって否定的な判定結果が得られた場合には、前記検索手段ならびに前記再生手段は、前記次の再生対象領域の全体を対象とした通常の検索ならびに早送り／早戻し再生を行ってもよい。同様に、本発明の早送り／巻き戻し再生方法において、前記第２のステップは、前記第３のステップにおいて否定的な判定結果が得られた場合に、前記次の再生対象領域の全体を対象とした通常の検索を行うステップであり、前記第１のステップは、前記第３のステップにおいて否定的な判定結果が得られた場合に、前記通常の検索によって検出された前記次の再生対象領域の全体が有する情報を対象とした通常の早送り／早戻し再生を行うステップであってもよい。
【００３１】
そして、このような本発明によれば、次の再生対象領域が単一の分割領域内に配置されている場合には、次の再生対象領域全体を検索対象とすることができるので、次の再生対象領域の配置状態に応じたより最適な検索を実現することができる。
【００３２】
さらにまた、本発明の情報再生装置において、前記再生対象情報は、論理上における配置順序に物理上における配置順序が整合するように前記記憶領域の先頭側から順番に分割記録されたもの、または、順不同に分割記録されたものであってもよい。
【００３３】
そして、このような構成によれば、シーケンシャルライトおよびランダムライトのいずれの分割記録ファイルにも対応した汎用性が高い早送り／早戻し再生を実現することができる。
【００３４】
また、本発明の情報再生装置において、前記記憶媒体は、光ディスクであり、前記再生対象情報は、ＵＤＦ形式で記録されたオーディオファイルまたはビデオファイルであってもよい。
【００３５】
そして、このような構成によれば、分割記録されたＵＤＦファイルの早送り／早戻し再生の再生品位を確実に向上させることができる。
【発明の効果】
【００３６】
本発明によれば、分割記録された再生対象情報の早送り／早戻し再生の再生品位を向上させることができるとともに、消費電力の削減および製品寿命の向上を図ることができる。
【図面の簡単な説明】
【００３７】
【図１】本発明に係る情報再生装置の実施形態を示すブロック図
【図２】本発明に係る情報再生装置の実施形態において、分割記録されたＵＤＦファイルの論理構造を示す模式図
【図３】本発明に係る情報再生装置の実施形態において、早送り／早戻し再生の際におけるサーチ動作を示す概要図
【図４】本発明に係る早戻し／早送り再生方法の実施形態を示すフローチャート
【図５】UDF File Systemによる分割記録を示す概要図
【図６】分割記録が行われる実際のケースを説明するための説明図
【図７】分割記録が行われたＵＤＦファイルのサーチ動作を示す概要図
【図８】ISO9660 File Systemによって記録されたファイルの早送り／早戻し再生を示す概要図
【図９】従来の問題点を説明するための説明図
【発明を実施するための形態】
【００３８】
（情報再生装置の実施形態）
以下、本発明に係る情報再生装置の実施形態について、図１乃至図３を参照して説明する。
【００３９】
なお、従来と基本的構成が同一もしくはこれに類する箇所については、同一の符号を用いて説明する。
【００４０】
図１に示すように、本実施形態における情報再生装置１は、再生対象情報としてのＵＤＦ形式のファイル（以下、ＵＤＦファイルと称する）が記録された記憶媒体としての光ディスク２が搭載可能とされており、この搭載された光ディスク２のＵＤＦファイルを再生可能とされている。なお、光ディスク２としては、前述したＣＤ−ＲやＣＤ−ＲＷ等を採用してもよい。また、ＵＤＦファイルは、オーディオファイルおよびビデオファイルのいずれであってもよいが、本実施形態における情報再生装置１は、図５に示したように、複数の分割データｄｉとして分割記録されたＵＤＦファイルに対して好適に適用されるものである。
【００４１】
図１に示すように、情報再生装置１は、光ディスクドライブ３を有しており、この光ディスクドライブ３は、搭載された光ディスク２を回転駆動しながら、光ディスク２に記録されているＵＤＦファイルを読み取るようになっている。図１に示すように、光ディスクドライブ３は、光ピックアップ部３ａを有している。この光ピックアップ部３ａは、光ディスク２に対して径方向に移動しながら、光ディスク２の所定のトラック上の指定された位置（アドレス）に存在するＵＤＦファイルのデータを光学的に読み取り、これを電気信号に変換して出力するようになっている。そして、出力されたＵＤＦファイルのデータは、図１に示すバッファ４に取得されるようになっている。なお、光ピックアップ部３は、レーザ発振器や光センサ等のデバイス、対物レンズ、ビームスプリッタおよび波長板等の光学系、トラッキング／フォーカシング用のアクチュエータ等によって構成してもよい。
【００４２】
また、図１に示すように、情報再生装置１は、早送り／早戻し再生手段および検索手段としての機能を持つ再生／サーチ処理部５を有している。この再生／サーチ処理部５は、操作部７の操作やデフォルトによって設定された再生モードにしたがって、ＵＤＦファイルの再生処理を行うようになっている。再生モードとしては、前述した通常再生モード、早送り再生モードおよび早戻し再生モードを設定可能とされている。また、再生／サーチ処理部５は、再生処理の際には、次再生対象領域のサーチ動作を行うようになっている。なお、再生／サーチ処理部５は、これの機能を実現するためのプログラムが格納されたＲＯＭ、このＲＯＭ内のプログラムを実行するＣＰＵ等の演算処理装置、および、当該演算処理装置の処理結果の一時的な保存等に用いるＲＡＭ等によって構成してもよい。また、操作部７としては、リモコンやタッチパネル等の種々の入力インターフェースを用いてもよい。
【００４３】
ここで、図２（ａ）は、光ディスク２に分割記録されたＵＤＦファイルＦを示したものである。図５に示したように、分割記録されたＵＤＦファイルは、物理的には、ボリューム（記憶領域）における複数の分割領域Ａｉに、各領域Ａｉごとの分割データｄｉとして分割（分離）されて配置されているが、図２（ａ）に示すように、再生処理部５側では、論理的に連続した１つのファイルＦとして認識される。このような認識には、ＵＤＦファイルＦにヘッダ情報として付加された付加情報としてのＦＥ情報が用いられる。図２（ｂ）に示すように、ＦＥ情報には、各分割データｄｉにそれぞれ対応するように、分割データｄｉの分割番号（先頭の分割データｄｉ側から末尾の分割データｄｉ側に向かって昇順となる番号）、分割データｄｉのデータ量（データ長）を示すレングス〔Byte〕および分割データｄｉの記録位置としてのアドレス〔Sector〕が記述されている。なお、ＦＥ情報におけるアドレスの配置は、分割データがシーケンシャルライトされたものであれば、対応する分割番号の順序にしたがってボリュームの先頭側から末尾側に向かう順番となり、分割データがランダムライトされたものであれば、分割番号順にしたがった規則性は有しない（ランダムとなる）。
【００４４】
再生／サーチ処理部５は、このようなＦＥ情報を、光ディスクドライブ３によって光ディスク２から読み取らせた後に、バッファ４を介して取得するようになっている。なお、このようなＦＥ情報の取得は、ディスクローディング直後のデイスク解析のフェーズにおいて予め（再生処理前に）行うようにしてもよい。
【００４５】
そして、再生／サーチ処理部５は、分割記録されたＵＤＦファイルＦを通常再生する場合には、光ディスクドライブ３に対してアドレス指定に相当する通電制御を行うことにより、光ディスクドライブ３に、各分割データｄｉを、ＦＥ情報に示される分割番号の先頭側から順次読み取らせてバッファ４に取得させるようになっている。このようにしてバッファ４に取得された分割データｄｉは、デコーダ８によってデコードされた上で、出力部１０によって音声出力または映像表示されるようになっている。出力部１０は、スピーカやディスプレイ等によって構成してもよい。そして、このような再生処理の過程で、再生／サーチ処理部５は、ＦＥ情報に基づいて、光ディスクドライブ３に対してアドレス指定に相当する通電制御を行うことにより、現在再生中（バッファ４に取得済み）の分割データｄｋを有する再生対象領域（通常再生の場合には、分割領域Ａｋと同義）の次の再生対象領域（分割領域Ａｋ＋１）をサーチ対象としたサーチ動作を行うようになっている。これにより、次の再生対象領域が有する分割データｄｋ＋１の再生が可能となる。なお、現在再生中の分割データｄｋは、既に光ピックアップ部３ａによる読み取りが完了してバッファ４に貯められたものであるため、再生／サーチ処理部５は、この分割データｄｋの再生中に、光ピックアップ部３ａによる次の分割データｄｋ＋１のサーチ動作を行うことができる。
【００４６】
一方、再生／サーチ処理部５は、分割記録されたＵＤＦファイルＦを早送り／早戻し再生する場合には、通常再生の場合のように分割データｄｉの全てを再生するのではなく、図９に示したように、予め設定されたサイズの再生対象領域Ｐ内のデータＤａの再生と、予め設定されたサイズのスキップ対象領域Ｓ内のデータのスキップとを交互に繰り返すようになっている。また、再生／サーチ処理部５は、現在再生中（バッファ４に取得済み）のデータＤａを有する現在の再生対象領域Ｐの次の再生対象領域Ｐ内のデータの再生に移行するために、当該次の再生対象領域Ｐを対象としたサーチ動作を行うようになっている。
【００４７】
ただし、本実施形態においては、従来の分割記録されたＵＤＦファイルの早送り／早戻し再生の場合（図９参照）とは異なり、同一の再生対象領域Ｐ内における頻繁なサーチ動作が行われないようにするための手段が講じられている。
【００４８】
すなわち、図１に示すように、情報再生装置１は、判定手段としての次再生対象領域判定部１１を有している。この次再生対象領域判定部１１は、早送り／早戻し再生時の再生／サーチ処理部５によるサーチ動作の際に、ＦＥ情報に基づいて、次の再生対象領域Ｐが複数の分割領域Ａｉに分割されて配置されているか否かを判定するようになっている。
【００４９】
今、図３（ｂ）に示すように、次の再生対象領域が同図のＰｎであると仮定すると、このＰｎは、論理的には連続した範囲として認識されるが、図３（ａ）に示すように、物理的には、互いに異なる複数の分割領域Ａｋ、Ａｋ＋１、Ａｋ＋２ごとに分割（分離）された状態で配置されている。したがって、次の再生対象領域がＰｎとなったときは、次再生対象領域判定部１１の判定結果は肯定的なものとなる。ただし、図３（ａ）に示すように、次の再生対象領域Ｐｎを構成する複数の分割領域の中には、UDF File Systemによる分割記録の際に割り振られた分割領域Ａｉの一部のみを占めるもの（同図においては、Ａｋ、Ａｋ＋２のそれぞれの一部）もあるし、全部を占めるもの（同図においては、Ａｋ＋１の全部）もある。
【００５０】
なお、次再生対象領域判定部１１は、これの機能を実現するためのプログラムが格納された前記ＲＯＭ、前記演算処理装置および前記ＲＡＭ等によって構成してもよい。また、次再生対象領域判定部１１の判定結果は、これに応じた値のフラグをセットすること等によって保持してもよい。
【００５１】
また、図１に戻って、情報再生装置１は、決定手段としての支配的データ保有領域決定部１２を有している。この支配的データ保有領域決定部１２は、次再生対象領域判定部１１の判定結果が肯定的であることを検知すると、ＦＥ情報に基づいて、次の再生対象領域Ｐを構成する複数の分割領域の中から支配的なデータを有する分割領域を決定するようになっている。ここで、本実施形態において、支配的データ保有領域決定部１２は、次の再生対象領域Ｐを構成する複数の分割領域のうち、ＦＥ情報のレングスに示されるデータ量（データ長）が最大のデータを有する分割領域を、支配的なデータを有する分割領域と決定するようになっている。
【００５２】
図３（ａ）の例で言えば、次の再生対象領域Ｐｎを構成する３つの分割領域Ａｋ（領域Ａｋの一部）、Ａｋ＋１（領域Ａｋ＋１の全部）、Ａｋ＋２（領域Ａｋ＋２の一部）のうち、Ａｋ＋１が有するデータＤｋ＋１のデータ量が最大であるため、このＡｋ＋１が支配的なデータ（すなわち、Ｄｋ＋１）を有する分割領域に決定される。
【００５３】
なお、支配的データ保有領域決定部１２は、これの機能を実現するためのプログラムが格納された前記ＲＯＭ、前記演算処理装置および前記ＲＡＭ等によって構成してもよい。
【００５４】
さらに、図１に戻って、情報再生装置１は、制御手段としてのサーチ制御部１４を有している。このサーチ制御部１４は、支配的データ保有領域決定部１２の決定結果をその旨のデータの入力等によって検知すると、この決定結果に示される支配的なデータを有する分割領域に限定したサーチ動作ならびに当該支配的なデータの再生を行うように、再生／サーチ処理部５に指令（制御信号）を出力するようになっている。そして、再生／サーチ処理部５は、このサーチ制御部１４の指令に応じて、支配的データ保有領域決定部１２が決定した支配的なデータを有する分割領域のみを対象としたサーチ動作ならびに当該支配的なデータの限定再生を行うようになっている。なお、サーチ制御部１４は、これの機能を実現するためのプログラムが格納された前記ＲＯＭ、前記演算処理装置および前記ＲＡＭ等によって構成してもよい。
【００５５】
このような構成によれば、早送り／早戻し再生の際に、次の再生対象領域が複数の分割領域に跨がる場合には、そのような次の再生対象領域を構成する複数の分割領域のうちの再生時間が最長のデータを有する分割領域に限定したサーチ動作ならびに再生を行うことができるため、分割記録されたＵＤＦファイルを早送り／早戻し再生する際におけるサーチ動作の頻度（回数）を確実に低減することができる。
【００５６】
具体的には、図３（ａ）の場合における次の再生対象領域Ｐｎの配置状態は、図９（ａ）に示したものと同様に、複数の分割領域Ａｋ、Ａｋ＋１、Ａｋ＋２ごとに分割されたものであるが、図３（ａ）の場合においては、図９（ａ）の場合のようなＡｋからＡｋ＋１へのサーチ動作およびＡｋ＋１からＡｋ＋２へのサーチ動作は行われないため、サーチ動作の回数を低減することができる。
【００５７】
この結果、バッファアンダーランを抑制して早送り／早戻し再生の再生品位を向上させることができる。また、光ピックアップ部３ａの頻繁なサーチ動作を抑制することができるので、消費電力の削減および製品寿命の向上を図ることができる。
【００５８】
また、本実施形態においては、次の再生対象領域を構成する複数の分割領域のうちの再生時間が最長のデータを有する分割領域をサーチ対象とするため、サーチ動作が間引かれることにともなって次の再生対象領域内のデータの再生時間が著しく短くなるといった弊害を抑制することができ、さらなる再生品位の向上を図ることができる。
【００５９】
なお、次再生対象領域判定部１１の判定結果が否定的な場合、すなわち、次の再生対象領域が単一の分割領域Ａｉに属している場合には、再生／サーチ処理部５は、当該次の再生対象領域のすべてを対象としたサーチ動作ならびに再生を行えばよい。
【００６０】
また、本発明には、以下に示すような種々の変形例を適用してもよい。
【００６１】
（第１変形例）
例えば、支配的データ保有領域決定部１２は、次の再生対象領域を構成する複数の分割領域の中に、データ量が最大のデータを有する分割領域が複数存在する場合には、当該複数のデータ量が最大のデータを有する分割領域のうち、現在再生中のデータを有する現在の再生対象領域からの記憶領域上における距離が最短の分割領域を、支配的なデータを有する分割領域と決定してもよい。このとき、記憶領域上における距離については、ＦＥ情報に示されるアドレス、レングス等に基づいて長短を判断してもよい。
【００６２】
このような構成によれば、次の再生対象領域を構成する複数の分割領域のうちの再生時間が最長となるデータを有する複数の分割領域のうち、現在の再生対象領域からのサーチ所要時間が最短となる分割領域をサーチ対象に決定することができるので、バッファアンダーランを更に効果的に抑制することができる。
【００６３】
（第２変形例）
また、第１変形例において、さらに、次の再生対象領域を構成する複数の分割領域のうち、前記距離が最短のデータからの記憶領域上における距離が閾値以内の分割領域についても、前記距離が最短の分割領域とともに支配的なデータを有する分割領域と決定してもよい。この場合に、閾値としては、スキップ対象領域Ｓ（図９参照）のサイズよりも短い距離を設定することが望ましい。
【００６４】
このような構成によれば、次の再生対象領域を構成する複数の分割領域のうち、複数の分割領域が有するデータの再生時間が最長となる場合に、現在の再生対象領域からのサーチ所要時間が最短となる分割領域に加えて、当該最短となる分割領域からのサーチ所要時間が十分に短い分割領域についてもサーチ対象に含めることができるので、バッファアンダーランを有効に回避しつつ、次の再生対象領域内における再生時間を可及的に確保することができる。
【００６５】
（早送り／早戻し再生方法の実施形態）
次に、前述した情報再生装置１を適用した本発明に係る早送り／早戻し再生方法の実施形態について、図４を参照して説明する。
【００６６】
本実施形態においては、まず、図４のステップ１（ＳＴ１）において、次再生対象領域判定部１１により、光ファイバ２に記録されているＦＥ情報を光ピックアップ部３ａを介して取得する。このステップ１（ＳＴ１）は、ディスクローディング直後のディスク解析のフェーズとして実行してもよい。
【００６７】
次いで、ステップ２（ＳＴ２）において、次再生対象領域判定部１１により、操作部７からの早送り／早戻し再生の指示があったか否かを判定する。そして、ステップ２（ＳＴ２）において肯定的な判定結果が得られた場合には、ステップ３（ＳＴ３）に進み、否定的な判定結果が得られた場合には、ステップ２（ＳＴ２）を繰り返す。
【００６８】
次いで、ステップ３（ＳＴ３）において、次再生対象領域判定部１１により、ステップ１（ＳＴ１）において取得されたＦＥ情報に基づいて、次の再生対象領域が、複数の分割領域に分割配置されているか否かを判定する。そして、ステップ３（ＳＴ３）において肯定的な判定結果が得られた場合には、ステップ４（ＳＴ４）に進み、否定的な判定結果が得られた場合には、ステップ８（ＳＴ８）に進む。
【００６９】
ここで、ステップ４（ＳＴ４）に進んだ場合には、支配的データ保有領域決定部１２により、ステップ３（ＳＴ３）において判断された次の再生対象領域を構成する複数の分割領域の中から、ＦＥ情報に基づいて支配的なデータを有する分割領域を決定して、ステップ５（ＳＴ５）に進む。
【００７０】
一方、ステップ８（ＳＴ８）に進んだ場合には、再生／サーチ処理部５により、次の再生対象領域の全てを対象としたサーチ動作を行って、ステップ６（ＳＴ６）に進む。
【００７１】
次いで、ステップ５（ＳＴ５）において、サーチ制御部１４の制御の下で、再生／サーチ処理部５により、ステップ４（ＳＴ４）において決定された支配的なデータを有する分割領域に限定したサーチ動作を行って、ステップ６（ＳＴ６）に進む。
【００７２】
次いで、ステップ６（ＳＴ６）において、再生／サーチ処理部５により、前工程においてサーチされた分割領域が有するデータを再生してステップ７（ＳＴ７）に進む。
【００７３】
次いで、ステップ７（ＳＴ７）において、次再生対象領域判定部１１により、早送り／早戻し再生モードが継続されているか否かを判定する。そして、ステップ７（ＳＴ７）において肯定的な判定結果が得られた場合には、ステップ３（ＳＴ３）に戻り、否定的な判定結果が得られた場合には、処理を終了する。
【００７４】
なお、本発明は、前述した実施の形態に限定されるものではなく、本発明の特徴を損なわない限度において種々変更してもよい。
【符号の説明】
【００７５】
１  情報再生装置
２  光ディスク
５  再生／サーチ処理部
１１  次再生対象領域判定部
１２  支配的データ保有領域決定部
１４  サーチ制御部
【図１】
0005746071.tif 000002
【図２】
0005746071.tif 000003
【図３】
0005746071.tif 000004
【図４】
0005746071.tif 000005
【図５】
0005746071.tif 000006
【図６】
0005746071.tif 000007
【図７】
0005746071.tif 000008
【図８】
0005746071.tif 000009
【図９】
0005746071.tif 000010